(57)【要約】【課題】ＬＥＤと導光板入光面の位置ズレを抑制し、安定した光学特性を実現するとともに、ＬＥＤに対して、導光板の片側だけでなく両側を発光させることができる光学部品を提供する。【解決手段】ＬＥＤ光源と導光板とを含む照明器具であり、導光板は、ＬＥＤ光源からの光を導光板の内部に取り込む入光部と、入光部から取り込まれた第１光を照明器具の中心の方向へ曲げる第１曲げ部と、入光部から取り込まれた第２光を前記照明器具の側面の方向へ曲げる第２曲げ部と、第１曲げ部に隣接し、第１光を放出する第１発光部と、を有し入光部から第１曲げ部と第２曲げ部とが分かれることを特徴とするＬＥＤ照明装置を用いる。【選択図】図１
2014229464.tif 000002
【特許請求の範囲】
【請求項１】
ＬＥＤ光源と導光板とを含む照明器具であり、
前記導光板は、
前記ＬＥＤ光源からの光を前記導光板の内部に取り込む入光部と、
前記入光部から取り込まれた第１光を前記照明器具の中心の方向へ曲げる第１曲げ部と、
前記入光部から取り込まれた第２光を前記照明器具の側面の方向へ曲げる第２曲げ部と、
前記第１曲げ部に隣接し、前記第１光を放出する第１発光部と、を有し
前記入光部から前記第１曲げ部と前記第２曲げ部とが分かれることを特徴とする照明装置。
【請求項２】
前記第２曲げ部に隣接し、前記第２光を放出する第２発光部を、さらに有する請求項１記載の照明装置。
【請求項３】
前記第２発光部の端部には、前記導光板を固定する固定部が設けられている請求項２に記載の照明装置。
【請求項４】
前記入光部の下方に前記ＬＥＤ光源が位置し、前記ＬＥＤ光源の中心が、前記第１曲げ部の外面と前記第２曲げ部の外面との間に位置する請求項１から３のいずれか１項に記載の照明装置。
【請求項５】
前記第１曲げ部の外面と前記第２曲げ部の外面との間の任意の位置でＬＥＤ光源を固定できる請求項１から４のいずれか１項に記載の照明装置。
【請求項６】
前記第１発光部と前記第２発光部が平板状であり、
前記曲げ部が平面状を曲げた形状である請求項１から５のいずれか１項に記載の照明装置。
【請求項７】
前記入光部の表面に溝が形成されている請求項１から６のいずれか１項に記載の照明装置。
【請求項８】
前記第１曲げ部、第２曲げ部の表面側の面が、前記第１光、第２光に対して、全反射面である請求項１から７のいずれか１項に記載の照明装置。
【請求項９】
前記第１曲げ部、第２曲げ部の裏面側の面に、凹凸を設けている請求項１から８のいずれか１項に記載の照明装置。
【請求項１０】
前記第１曲げ部と前記第２曲げ部との分かれ目と、前記ＬＥＤの中心とが垂直方向で一致しない請求項１から９のいずれか１項に記載の照明装置。
【請求項１１】
前記第１発光部の底面と前記第２発光部の底面とが同一平面である請求項１から１０のいずれか１項に記載の照明装置。
【請求項１２】
前記第２発光部の側面が、曲面となっている請求項１から１１のいずれか１項に記載の照明装置。
【請求項１３】
前記第２発光部の端部に、前記ＬＥＤと同一面となるまで突起を設けた請求項１から１２のいずれか１項に記載の照明装置。
【請求項１４】
前記第２発光部の端部に、前記ＬＥＤと同一面となるまでの透明部材を設けた請求項１から１３のいずれか１項に記載の照明装置。
【請求項１５】
前記第１、第２発光部底面に凹部、凸部、溝、ドットのいずれか１つが形成されていることを特徴とする請求項１から１４のいずれか１項に記載の照明装置。
【発明の詳細な説明】
【技術分野】
【０００１】
本発明は、ＬＥＤ（発光ダイオード）を光源に用いたＬＥＤ照明装置の光学部品に関する。
【背景技術】
【０００２】
現在、蛍光灯の照明装置から、光源に発光ダイオード（ＬＥＤ：Ｌｉｇｈｔ  Ｅｍｉｔｔｉｎｇ  Ｄｉｏｄｅ）を用いたＬＥＤ照明装置への置き換えが進んでいる。これは、一つには蛍光灯に含まれる微量の水銀のため環境対応の点で廃棄処理時の問題があり、ＬＥＤ照明装置に置き換えることによって、完全に水銀フリーの照明装置を実現できるからである。また、蛍光灯はインバータや安定器が必要だが、ＬＥＤ照明装置ではそれが不要となる為に消費電力を低減できるからでもある。
【０００３】
一方、白熱電球では水銀やインバータ等の問題こそないが、蛍光灯に比べて発光効率が低く寿命も短い。そのため、ＬＥＤ照明装置に置き換えることによって、消費電力を低減でき、且つ寿命も延長できる。この様な背景から、各種ＬＥＤ照明装置が提案、実用化されている。
【０００４】
ＬＥＤ照明装置は、光源とするＬＥＤ素子そのものは輝度が高く直視した場合においては不快感を覚える。そのため、導光板を用いて、光を広げ、面光源化することで被照射面の照度を落とさず、ＬＥＤ照明装置自体の発光面の局所的な輝度は低く抑えることができる。
【０００５】
導光板を用いたＬＥＤ照明装置として、導光板内の光が進む導光方向と、ＬＥＤから放射される光の方向とが、垂直となるものがある。図１２（ａ）に、特許文献１の断面図を、図１２（ｂ）に特許文献２の断面図を示す。図１２（ａ）および図１２（ｂ）は、ＬＥＤ１１０と導光板１１１とからなり、導光板１１１に関しては、光を曲げる曲げ部１１２と、光を放出する出射部１２０と、を有している。
【０００６】
特許文献１および特許文献２記載の構造では、光源であるＬＥＤ１１０から放射された光が、ＬＥＤ１１０の直上に配置された導光板１１１の入射面１０４から導光板１１１に入光した後、曲げ部１１２において全反射することで進行方向を導光板１１１の出射部１２０と略平行となる導光方向１１８へ変える。その結果、導光板１１１の内における導光方向１１８とＬＥＤ１１０からの光の放出方向１０７とが略垂直の関係となる。
【先行技術文献】
【特許文献】
【０００７】
【特許文献１】特開２００８−３４１５５号公報
【特許文献２】特開２００８−１０３３０１号公報
【発明の概要】
【発明が解決しようとする課題】
【０００８】
図１３（ａ）、（ｂ）に、ＬＥＤ１１０周辺の拡大断面図示す。図１３（ａ）では、導光方向１１８に対して、周辺部が全く発光しない場合の断面図を示している。図１３（ｂ）には、導光方向１１８と垂直な方向に光が漏れ、光り過ぎる場合の断面図を示めしている。
【０００９】
つまり、ＬＥＤ１１０付近の導光板１１１が光らない、または、漏れ光１０２により、光過ぎる場合である。特に、図１３（ｂ）の漏れ光１０２では、いろいろな方向の光により色ムラが発生する場合がある。
【００１０】
上記は、ＬＥＤ１１０と、導光板１１１との位置関係により生じることがあるので、位置合わせを正確にし、しっかり固定すればよい。しかしながら、位置合わせを正確にし、しっかり固定とするためには、導光板１１１の曲げ部１１２、または、曲げ部１１２近傍の出射部１２０を、固定部等により固定することが必要となる。この場合、歪みにより全反射特性が失われる場合がある。また、導光板１１１に設けることになる貫通孔や固定部等により非発光部（影）やムラが生じてしまう場合もある。
【００１１】
また、導光板１１１をしっかりと固定をしない場合には、ＬＥＤ１１０と導光板１１１の入光面との位置関係を一定に保つことが困難となり、上記のように、漏れ光１０２などで、光学特性は安定しなくなる。この場合、一般的には導光板１１１への入光効率や、導光板１１１の出射面の輝度分布が変動する。
【００１２】
また、ＬＥＤ照明装置の外周を含めた全面を発光させたい場合においては、特許文献１および特許文献２の構造では、実現できない。
【課題を解決するための手段】
【００１３】
上記課題を解決するために、ＬＥＤ光源と導光板とを含む照明器具であり、前導光板は、
前記ＬＥＤ光源からの光を前記導光板の内部に取り込む入光部と、前記入光部から取り込まれた第１光を前記照明器具の中心の方向へ曲げる第１曲げ部と、前記入光部から取り込まれた第２光を前記照明器具の側面の方向へ曲げる第２曲げ部と、前記第１曲げ部に隣接し、前記第１光を放出する第１発光部と、を有し、前記入光部の１つから前記第１曲げ部と前記第２曲げ部とが分かれることを特徴とするＬＥＤ照明装置を用いる。
【発明の効果】
【００１４】
ＬＥＤから放射された光が、入光部から導光板に入射され、第１曲げ部、第２曲げ部、第１発光部により、全体に均質に光を放射することができる。
【図面の簡単な説明】
【００１５】
【図１】（ａ）本願実施の形態１におけるＬＥＤ蛍光灯、（ｂ）（ａ）の断面図、（ｃ）（ｂ）の端部拡大断面図
【図２】（ａ）〜（ｋ）本願実施の形態２の第１発光部の端部拡大断面図
【図３】（ａ）、（ｂ）本願実施の形態３の導光板の端部拡大断面図
【図４】（ａ）、（ｂ）本願実施の形態４の導光板の端部拡大断面図
【図５】（ａ）、（ｂ）本願実施の形態５の導光板の端部拡大断面図
【図６】（ａ）、（ｂ）本願実施の形態６の導光板の端部拡大断面図
【図７】実施の形態７の導光板の端部拡大断面図
【図８】実施の形態８の導光板の端部拡大断面図
【図９】（ａ）実施の形態９の導光板の端部拡大断面図、（ｂ）実施の形態９の導光板の照明器具の斜視図
【図１０】（ａ）実施の形態１０における導光板の斜視図、（ｂ）実施の形態１０におけるＬＥＤ照明機器の端部拡大断面図
【図１１】（ａ）〜（ｄ）実施の形態１１のＬＥＤ照明機器の端部拡大断面図
【図１２】（ａ）従来のＬＥＤ照明機器の断面図、（ｂ）従来のＬＥＤ照明機器の断面図
【図１３】（ａ）従来のＬＥＤ照明機器の端部拡大断面図、（ｂ）従来のＬＥＤ照明機器の端部拡大断面図
【発明を実施するための形態】
【００１６】
以下本発明を実施の形態について、図面を参照しながら説明する。
（実施の形態１）
実施の形態１における導光板１１１について、図１（ａ）〜（ｃ）を用いて説明する。図１（ａ）は、実施の形態１における円盤状の照明用器具の斜視図であり、図１（ｂ）は、図１（ａ）の導光板とＬＥＤ部分のみの断面図であり、図１（ｃ）は、図１（ｂ）導光板の周辺部分の導光板とＬＥＤの拡大断面図である。実施の形態１の照明用器具は、基板１１５に実装されたＬＥＤ１１０と、ＬＥＤ１１０の光を伝達、放出する導光板１１１と、固定部１１６と、を含む。
【００１７】
ＬＥＤ１１０は、ＬＥＤ光源であり、この場合、円形状の照明用器具を構成するため、円形状に並べられている。ＬＥＤ１１０は、長さ３．０ｍｍ、幅１．４ｍｍ、厚み０．５２ｍｍの寸法である。ＬＥＤ１１０は、基板１１５に実装されている。ＬＥＤ１１０は、基板１１５からの信号で制御される。
【００１８】
導光板１１１には、ＬＥＤ１１０の光を受け入れる入射領域１２４と、入射領域１２４につながる２つの第１曲げ部１１２ａ、第２曲げ部１１２ｂと、第１曲げ部１１２ａからつながる第１発光部１１３ａと、第２曲げ部１１２ｂからつながる第２発光部１１３ｂとを有する。第１曲げ部１１２ａ、第１発光部１１３ａは、照明器具の中心部へ、第２曲げ部１１２ｂ、第２発光部１１３ｂは、照明器具の側面へ設けられている。
【００１９】
第１曲げ部１１２ａ、第２曲げ部１１２ｂは、入射領域１２４に隣接し、光を曲げ導くところである。外周面、内周面が円弧状で、外周面に光を全反射する第１全反射領域１２２ａ、第２全反射領域１２２ｂがある。内周面に、光を上方へ反射させる第１ドット部１３１ａ、第２ドット部１３１ｂがある。
【００２０】
第１ドット部１３１ａ、第２ドット部１３１ｂは、複数のドット（突起）である。光を上方へ反射させる。
【００２１】
第１発光部１１３ａは、第１曲げ部１１２ａに隣接し、第１曲げ部１１２ａから連続する厚み３ｍｍの平板である。第１曲げ部１１２ａから光をもらい、その上面の第１発光部上面１４３ａから光を放出する。その下面の第１発光部下面１２３ａには、第１プリズム１３３ａがあり、第１光２００ａを第１発光部上面１４３ａへ反射する。
【００２２】
第２発光部１１３ｂも、第１発光部１１３ａも同様である。第２曲げ部１１２ｂに隣接し、第２曲げ部１１２ｂから連続する厚み３ｍｍの平板である。第２曲げ部１１２ｂから光をもらい、その上面の第２発光部上面１４３ｂから光を放出する。その下面の第２発光部下面１２３ｂには、第２プリズム１３３ｂがあり、第２光２００ｂを第２発光部上面１４３ｂへ反射する。
【００２３】
入射領域１２４より第１発光部１１３ａ、第２発光部１１３ｂへ向けて、第１プリズム１３３ａ、第２プリズム１３３ｂの深さを深くしてもよい。第１プリズム１３３ａ、第２プリズム１３３ｂの深さは、１００μｍ以下で、深さは可変である。または、入射領域１２４より第１発光部１１３ａ、第２発光部１１３ｂへ向けて、プリズム溝の間ピッチを５００μｍから、１００μｍレベルまでピッチを細かくするように設けてもよい。第１プリズム１３３ａ、第２プリズム１３３ｂは、光源の並びと同様、同心円状に溝が設けられている。
【００２４】
入射領域１２４は、第１曲げ部１１２ａ、第２曲げ部１１２ｂの下部の領域で、ＬＥＤ１１０の直上であり、光が導光板１１１に入光する部分である。光は、第１光２００ａと第２光２００ｂとに分かれる。
【００２５】
第１光２００ａは、第１曲げ部１１２ａ、第１発光部１１３ａへ導かれる光で、第２光２００ｂは、第１曲げ部１１２ａ、第１発光部１１３ａへ導かれる光である。それぞれの部分で光が上面から放出される。第１光２００ａは、照明装置本体の中央へ進む光であるので、第２光２００ｂより多くなるように設計されている。
【００２６】
固定部１１６は、第２発光部１１３ｂの端部に位置し、第２発光部１１３ｂを押え、導光板１１１全体を固定するものである。固定部１１６は、図１（ａ）に示すように、円周上の４箇所程度で固定する。ネジなどである。第２発光部１１３ｂでの発光は、固定部１１６のない部分で発光することが必要であり、固定部１１６は、その位置により、光が影響されないように配置している。
【００２７】
導光板１１１の材質は、アクリル材である。耐熱性が求められる場合においては、ポリカーボネイトが用いられこともある。導光板１１１の厚みＴは、均肉であり、１０ｍｍ以下で構成することが多い。
【００２８】
この実施の形態では、射出成形で成形し製作するようにしているので、成形コスト低減のために、強度、成形時間、材料重量のバランスを検討し、３ｍｍとした。導光板１１１の好ましい肉厚の厚み設定は、成形部品であることから、できるかぎり均一肉厚で設計することが望ましい。しかし、光学設計の設計自由度を広げるために、少なくとも第１曲げ部１１２ａ、第２曲げ部１１２ｂの厚みは１ｍｍ以上１０ｍｍ以下であるように設計する。
【００２９】
第１発光部１１３ａ、第２発光部１１３ｂは入射領域１２４から連続する厚み３ｍｍの平板である。光学設計の自由度を広げたとしても、少なくとも、第１発光部１１３ａ、第２発光部１１３ｂは、１ｍｍ以上５ｍｍ以下であるように設計する。
【００３０】
ＬＥＤ１１０の直上に、入射領域１２４が位置するように、導光板１１１が配置される。入射領域１２４とＬＥＤ１１０との間隔を０．５ｍｍとした。
【００３１】
この実施の形態では、ＬＥＤ１１０の光を、第１発光部１１３ａと第１曲げ部１１２ａの側と、第２曲げ部１１２ｂと第２発光部１１３ｂとの側の２つとに分けたため、ＬＥＤ１１０の周辺でも光が放出され、ＬＥＤ１１０の周辺が暗くない。全体に均質に光る。ＬＥＤ１１０の直上も光過ぎることがない。
【００３２】
（実施の形態２）
実施の形態２は、実施の形態１における図１（ｃ）の第１発光部１１３ａの例である。その他構成は実施の形態１と同じである。図２（ａ）〜（ｄ）は、図１（ｃ）の第１発光部１１３ａの部分斜視図である。図２（ａ）では、第１発光部上面１４３ａは、光が放出される面である。第１発光部下面１２３ａは、第１プリズム１３３ａを有し、第１曲げ部１１２ａを伝わってきた第１光２００ａを、第１発光部上面１４３ａへ反射する。
【００３３】
第１発光部上面１４３ａに対向する第１発光部下面１２３ａには、第１プリズム１３３ａがあり、第１プリズム１３３ａは、長手方向に垂直に複数本、三角すい柱状に凹んだ溝が形成されている。
【００３４】
この第１プリズム１３３ａに照射された光が反射され、上方へ導かれる。光を効率よく出射させることが可能となる。導光板１１１が円盤状であるので、このプリズム溝１３１は、外周にそって、リング状に形成される。
【００３５】
図２（ｂ）では、第１発光部下面１２３ａに、突起である三角プリズム突起１５３が配置されている。この三角プリズム突起１５３の幅および高さはともに１００μｍ以下である。断面における先端は、Ｒ形状を有してもよい。斜面同士で光を反射することで、発光する。
【００３６】
図２（ｃ）では、第１発光部下面１２３ａに、凹状のドット凹部１５４が配置されている。このドット凹部１５４の径および深さは、ともに５００μｍ以下である。断面における頂点はＲ形状を有してもよい。
【００３７】
ドット凹部１５４は、第１発光部下面１２３ａに、数百〜数千個の数で設ける。
【００３８】
図２（ｄ）では、第１発光部下面１２３ａにドット突起１５５が配置されている。このドット突起１５５の幅および高さはともに５００μｍ以下である。断面部における頂点部は、Ｒ形状を有してもよい。ドット突起１５５は、第１発光部下面１２３ａ、数百〜数千個の数で設ける。
【００３９】
第１発光部１１３ａを導光してきた光は、第１プリズム１３３ａ、三角プリズム突起１５３、ドット凹部１５４、ドット突起１５５に、入射、反射されることで、光の進行方向が変わり、第１発光部上面１４３ａから出射し面状に発光することができる。
【００４０】
以上の例の中で、加工性、発光方向の制御のしやすさから、図２（ａ）の第１プリズム１３３ａが一番好ましい例である。
【００４１】
なお、第１発光部１１３ａに関して述べたが、第２発光部１１３ｂも同様である。ドット凹部１５４、ドット突起１５５に関して、図２（ｅ）〜図２（ｋ）に示す、半球、円錐、円錐台、円錐台と半球をつけたもの、四角錐、屋根型形状、円弧状屋根型形状も可能である。
【００４２】
なお、図１（ｃ）の第１ドット部１３１ａ、第２ドット部１３１ｂは、上記図２（ｃ）〜（ｋ）のドットを用いることができる。
（実施の形態３）
この実施の形態では、実施の形態１におけるＬＥＤ１１０の位置に関するものである。その他構成は実施の形態１と同じである。
【００４３】
図３（ａ）、（ｂ）は、本発明の照明用器具の部分断面図を示す図である。図３（ａ）、（ｂ）は、図１（ｃ）に対応するものであり、ＬＥＤ１１０の位置を変えている。
【００４４】
図３（ａ）では、ＬＥＤ１１０の位置が、図１（ａ）における位置より、第２発光部１１３ｂ側（器具の外側）にある。この位置関係においては、第１光２００ａの割合が減り、第２光２００ｂの割合が増える。第２発光部１１３ｂから発光される光が増える。
【００４５】
一方、図３（ｂ）では、ＬＥＤ１１０の位置が、図１（ａ）における位置関係と比べて第１発光部１１３ａ側にある。この際、第１光２００ａの割合が増え、第２光２００ｂの割合が減る。第１発光部１１３ａから発光される光が増える。
【００４６】
図１（ｃ）、図３（ａ）、図３（ｂ）に示すように、ＬＥＤ１１０の位置を入射領域１２４に対して変化させることで、光を導く方向を制御できる。
【００４７】
ＬＥＤ照明器具の種類に応じて、ＬＥＤ１１０と導光板１１１の位置関係を決定すればよい。移動できる構造としておくと、なお、いろいろな用途に適用できよい。たとえば、狭い部屋の場合、第２光２００ｂの光を減らすため、図３（ｂ）の配置とする。ＬＥＤ１１０を、入射領域１２４の下方で、任意のところに固定できるとよい。少なくとも、ＬＥＤ１１０の光源の中心は、入射領域１２４の下の範囲に位置する必要がある。
【００４８】
（実施の形態４）
図４（ａ）、（ｂ）は、この実施の形態の照明用器具の部分断面を示す図である。以下に示す以外、他の構成は、実施の形態１と同じである。
【００４９】
第１光２００ａと第２光２００ｂとで、光の量を変える例である。第１曲げ部１１２ａと第２曲げ部１１２ｂとの間の分かれ目４０１の位置を変化させている。図４（ａ）では、第１発光部１１３ａ側へ、図４（ｂ）では、第２発光部１１３ｂ側へ分かれ目４０１の位置を寄せている。光をその方向へ増やしている。この時、第１全反射領域１２２ａ、第２全反射領域１２２ｂでの反射特性を確保するため、以下の構造となっている。つまり、図４（ａ）では、第１発光部１１３ａが第２発光部１１３ｂより低い位置になり、図４（ｂ）では、第１発光部１１３ａが第２発光部１１３ｂより高い位置となる。
【００５０】
分かれ目４０１の位置が、ＬＥＤ１１０の中心より第１発光部１１３ａより（図４（ａ））なら、第２発光部１１３ｂへより光が進む。一方、分かれ目４０１の位置が、ＬＥＤ１１０の中心より第２発光部１１３ｂより（図４（ｂ））なら、第１発光部１１３ａへより光が進む。
【００５１】
さらに、第１曲げ部の厚みＷ１と、第２曲げ部の厚みＷ２により光の量を調整することもできる。幅の広い方へ光が多く進む。
【００５２】
（実施の形態５）
図５（ａ）、（ｂ）は、この実施の形態の照明用器具の部分断面を示す図である。以下に示す以外、他の構成は、実施の形態１と同じである。
【００５３】
図５（ａ）では、第１発光部下面１２３ａと入射領域１２４とが同一平面上にあるようにしている。このことにより、ＬＥＤ１１０から発光した光が、すべて、導光板１１１に入光することができる。
【００５４】
図５（ｂ）では、第１曲げ部１１２ａ、第２曲げ部１１２ｂの陵線が曲線ではなく、単数もしくは複数の直線である。つまり、平面である。
【００５５】
導光板製作時に必要となる金型作成が容易になる点および成型時の離型性で有利となる。また、この場合、第１曲げ部１１２ａ、第２曲げ部１１２ｂにおいて、全反射する割合が減り、第１全反射領域１２２ａ、第２全反射領域１２２ｂからも積極的に光を出射させることができる。第１発光部１１３ａ、第１曲げ部１１２ａ、第２曲げ部１１２ｂ、第２発光部１１３ｂを全体に光らせることができる。第１発光部１１３ａが小さい、小型の照明器具でより利用できる。
【００５６】
（実施の形態６）
図６（ａ）は、本発明の実施の形態６における照明用器具の部分断面を示す図である。全体構成は実施の形態１と同じである。この実施の形態では、第２発光部１１３ｂの側面に、端部突起１３８を設けている。
【００５７】
第２発光部１１３ｂから、基板１１５と同じ下面となるところまで、端部突起１３８を設けている。端部突起１３８は、導光板１１１の一部であり、光が伝達される。このことで、導光板１１１の側面にも光を出し、全体としての光の均質性が確保できる。なお、この端部突起１３８を介して、固定部１１６を設けて、導光板１１１を固定できている。
【００５８】
また、この端部突起１３８を導光板１１１の側面周囲に設けると、導光板１１１の内部を密閉でき、外界からの影響を受けにくく、より照明器具として長期安定する。
【００５９】
図６（ｂ）は、本発明の実施の形態６における別の照明用器具の部分断面を示す図である。全体構成は実施の形態１と同じである。この実施の形態では、第２発光部１１３ｂの側面に、曲線面１３６を設けている。
【００６０】
第２発光部１１３ｂの板状体の側面に下方に向かった大きくなった、４分の１円の形状の側面である。この部分からも光を上方へ離すことができ、照明器具全体の光の均質性が出せる。形状は、曲線でなく、直線の傾斜であってもよい。
【００６１】
（実施の形態７）
図７は、本発明の実施の形態７における照明用器具の部分断面を示す図である。全体構成は実施の形態１と同じである。この実施の形態では、第２発光部１１３ｂがない構造である。
【００６２】
実施の形態１の図１（ｃ）の場合、平坦面を有する第２発光部１１３ｂがあったが、全体の光の均質性を高めるため、第２発光部１１３ｂを削除したものである。ＬＥＤ１１０上方の不均質性を、第１曲げ部１１２ａ、第２曲げ部１１２ｂにより、無くしている。照明器具として、省スペース化できる。実施の形態１などでは、第２発光部１１３ｂの部分は、小さく、スペースとして無駄であった。
【００６３】
（実施の形態８）
図８は、本発明の実施の形態８における導光板１１１の部分断面を示す図である。入射領域１２４に溝１２８が形成されている。
【００６４】
図８（ａ）に示されるように、入射領域１２４に微細な複数の溝１２８が配置されている。図８（ａ）のその他の構成は、図１と同様である。この溝１２８の深さは、導光板１１１の厚み３ｍｍに対して、０．２ｍｍ前後である。この溝１２８は、図２（ａ）（ｂ）で示したプリズム形状で今回１０個配置している。
【００６５】
この溝１２８を調整することで、第１光２００ａ、第２光２００ｂの割合を調整できる。
また、光の入射時に不均質性を無くすることができる。
【００６６】
（実施の形態９）
図９（ａ）、（ｂ）は、本発明の実施の形態９を説明する図である。図９（ａ）は、導光板１１１の端部断面、図９（ｂ）は、照明装置の斜視図である。
【００６７】
導光板１１１に別途、別部品として、押さえ部１５０を設けている。押さえ部１５０は導光板１１１と同じ材料でもよい、また、ポリメタクリル酸メチル樹脂（Ｐｏｌｙ（ｍｅｔｈｙｌ  ｍｅｔｈａｃｒｙｌａｔｅ、ＰＭＭＡ）など、透明固体材でもよい。導光板１１１と別体であるので、導光板の任意の場所を固定できるので、導光板１１１の歪が緩和できる。押さえ部１５０からも光を放出できる。
【００６８】
（実施の形態１０）
図１０（ａ）（ｂ）は、実施の形態１０の導光板１１１の斜視図である。図１（ａ）では、導光板１１１は、円盤状であったが、この実施の形態では、長方体形状である。
【００６９】
図１０（ａ）は、導光板１１１の斜視図である。導光板１１１は、平面状の第２発光部１１３ｂを２つ端部に有し、２つの第２発光部１１３ｂの間に第１発光部１１３ａが位置する。第２発光部１１３ｂと第２発光部１１３ｂの間には、第１曲げ部１１２ａ、第２曲げ部１１２ｂが設けられている。
【００７０】
図１０（ｂ）は、この導光板１１１を照明器具に導入した場合の端部の部分拡大図である。図１（ｃ）に相当するものである。図１（ｃ）と同様に、入射領域１２４の下部にＬＥＤ１１０を配置している。導光板１１１を直方体形状で構成することによって、外枠の覆いのない、全面発光する照明器具が可能となる。さらに、４辺でなく２辺を固定することにより、歪を考慮せずしなくともよい。また、ＬＥＤ１１０と、導光板１１１との位置関係が、無理なく固定できる。図１（ａ）の場合、円形状であったので、４方向で位置を合わせる必要があった。
【００７１】
（実施の形態１１）照明器具
図１１（ａ）〜（ｄ）に本発明の導光板１１１を用いた照明器具の端部の断面図を示す。図１１（ａ）〜（ｄ）においては、図１（ａ）と同じ構成要素については同じ符号を用い、説明を省略する。
【００７２】
導光板１１１とカバー２２０と筐体２２１とから構成されている。その他の構成は、図１（ａ）と同様である。
【００７３】
図１１（ａ）では、上記に示したいずれかの導光板１１１、ＬＥＤ１１０、基板１１５を、カバー２２０と、筐体２２１で囲んだＬＥＤ照明器具である。筐体２２１は平面状で、カバー２２０が、導光板１１１を、ひとまわり大きな形状で覆っている。
【００７４】
図１１（ｂ）では、カバー２２０と筐体２２１の形状が、図１１（ａ）と異なり、照明器具のデザイン、仕様に合わせた形状をとる。
【００７５】
ここでカバー２２０を、光に対して、拡散透過性のあるカバーとすれば、図１１（ａ）、図１１（ｂ）に示すように、導光板１１１の上方にカバー２２０を配置することで、導光板１１１の全体が連続的に発光しているように見え、照明器具として好ましい。
【００７６】
図１１（ｃ）、図１１（ｄ）に示すように、導光板１１１の上方直近に拡散透過性のある光拡散シート２２２を配置することで、導光板１１１の全体が連続的、かつよりムラが低減された状態で、発光しているようにみえる。照明器具としてより好ましくなる。
【００７７】
拡散透過性のある光拡散シート２２２としては、フラスチック製で柔軟なシートで、高い光線透過率と拡散性を両立した拡散フィルムを用いることができる。高い光線透過率と拡散性を両立した拡散フィルムを用いることができる。導光板１１１に密着できる。
この例では、光拡散シート２２２として、株式会社ツジデンの光拡散フィルムD123を使用した。
【００７８】
なお、上記実施の形態１から１１は、相互に組み合わせることができる。
【産業上の利用可能性】
【００７９】
各種照明装置に用いることができる。
【符号の説明】
【００８０】
１０２  漏れ光
１０４  入射面
１０７  光の放出方向
１１０  ＬＥＤ
１１１  導光板
１１２  曲げ部
１１２ａ  第１曲げ部
１１２ｂ  第２曲げ部
１１３ａ  第１発光部
１１３ｂ  第２発光部
１１５  基板
１１６  固定部
１１８  導光方向
１２０  出射部
１２２ａ  第１全反射領域
１２２ｂ  第２全反射領域
１２３ａ  第１発光部下面
１２３ｂ  第２発光部下面
１２４  入射領域
１２８  溝
１３１ａ  第１ドット部
１３１ｂ  第２ドット部
１３３ａ  第１プリズム
１３３ｂ  第２プリズム
１３８  端部突起
１４３ａ  第１発光部上面
１４３ｂ  第２発光部上面
１５０  押さえ部
１５３  三角プリズム突起
１５４  ドット凹部
１５５  ドット突起
２００ａ  第１光
２００ｂ  第２光
２２０  カバー
２２１  筐体
２２２  光拡散シート
Ｗ１  第１曲げ部の厚み
Ｗ２  第２曲げ部の厚み
【図１】
2014229464.tif 000003
【図２】
2014229464.tif 000004
【図３】
2014229464.tif 000005
【図４】
2014229464.tif 000006
【図５】
2014229464.tif 000007
【図６】
2014229464.tif 000008
【図７】
2014229464.tif 000009
【図８】
2014229464.tif 000010
【図９】
2014229464.tif 000011
【図１０】
2014229464.tif 000012
【図１１】
2014229464.tif 000013
【図１２】
2014229464.tif 000014
【図１３】
2014229464.tif 000015